(57)【要約】      （修正有）【課題】コンセント本体の温水接続部の露出とその供給側開口部及び戻り側開口部の開放をワンタッチで行うことができる温水コンセントを提供すること。【解決手段】供給側開口部２６及び戻り側開口部２８を備えた温水接続部２４を有するコンセント本体６と、この温水接続部２４を覆うためのカバー体８とを備えた温水コンセント。カバー体８は、閉位置と開位置との間を移動自在にコンセント本体６に装着され、カバー体８には、供給側閉塞部材４０及び戻り側閉塞部材４２が設けられている。カバー体８が閉位置にあるときには、前記カバー体８側の供給側閉塞部材４０及び戻り側閉塞部材４２がコンセント本体６側の供給側開口部２６及び戻り側開口部２８を閉塞し、このカバー体８を閉位置から開位置に移動させると、供給側閉塞部材４０及び戻り側閉塞部材４２が移動して温水接続部２４の供給側開口部２６及び戻り側開口部２８が開放される。【選択図】図２
2014031901.tif 000002
【特許請求の範囲】
【請求項１】
温水プラグの温水供給側及び温水戻り側が着脱自在に接続される供給側開口部及び戻り側開口部を備えた温水接続部を有するコンセント本体と、前記コンセント本体の前記温水接続部を覆うためのカバー体とを備え、前記温水接続部の前記供給側開口部が温水を供給するための供給側ラインに接続され、前記温水接続部の前記戻り側開口部が温水を戻すための戻り側ラインに接続される温水コンセントであって、
前記カバー体は、前記温水接続部の前面側を覆う閉位置と前記温水接続部の前面側を開放する開位置との間を移動自在に前記コンセント本体に装着され、前記カバー体には、前記供給側開口部及び前記戻り側開口部に対応して供給側閉塞部材及び戻り側閉塞部材が設けられており、
前記カバー体が前記閉位置にあるときには、前記カバー体の前記供給側閉塞部材及び前記戻り側閉塞部材が前記温水接続部の前記供給側開口部及び前記戻り側開口部を閉塞し、前記閉位置から前記開位置に移動させると、前記供給側閉塞部材及び前記戻り側閉塞部材が移動して前記温水接続部の前記供給側開口部及び前記戻り側開口部が開放されることを特徴とする温水コンセント。
【請求項２】
前記温水接続部は、前記コンセント本体の中間部に配設され、前記カバー体は、前記閉位置にあるときには前記コンセント本体の前記中間部及び上部を覆うように構成され、前記コンセント本体の前記中間部の前記温水接続部と前記コンセント本体の前記上部との間に、前記温水プラグの一部が挿入される挿入空間が存在しており、前記カバー体を前記閉位置から前記開位置に移動させると、前記供給側閉塞部材及び前記戻り側閉塞部材は前記挿入空間を越えて前記コンセント本体の前記上部側に移動することを特徴とする請求項１に記載の温水コンセント。
【請求項３】
前記カバー体側の前記供給側閉塞部材及び前記戻り側閉塞部材はボール体から構成され、前記ボール体に関連して、これを前記コンセント本体側に弾性的に偏倚するための弾性偏倚部材が設けられ、前記ボール体の直径は前記挿入空間の幅よりも大きく形成されていることを特徴とする請求項１又は２に記載の温水コンセント。
【請求項４】
前記カバー体側の前記供給側閉塞部材及び前記戻り側閉塞部材は、前記温水接続部の前記供給側開口部及び前記戻り側開口部を閉塞するための先端部材と、前記先端部材を支持するための支持部材とを含み、前記先端部材及び／又は前記支持部材が弾性変形可能に構成されていることを特徴とする請求項１又は２に記載の温水コンセント。
【発明の詳細な説明】
【技術分野】
【０００１】
本発明は、室内に設置される温水機器（例えば、温水暖房装置など）に温水を供給するために室内側壁面などに設置される温水コンセントに関する。
【背景技術】
【０００２】
室内の温水機器に温水を供給するために温水コンセントが利用されている（例えば、特許文献１参照）。この温水コンセントは、例えば、図１０及び図１１に示す構造を有している。図１０及び図１１において、この従来の温水コンセント１０２は、室内の壁１０３に取り付けられるコンセント本体１０４を備え、このコンセント本体１０４の中間部に温水接続部１０６が設けられている。この温水接続部１０６は、温水機器側の温水プラグ（図示せず）の温水供給側が接続される供給側開口部１０８と、温水プラグの温水戻り側が接続される戻り側開口部１１０とを有し、温水プラグを接続した状態では、熱源機の供給側からの温水が供給側ライン（図示せず）、温水接続部１０６の供給側開口部１０８を通して温水機器（図示せず）に送給され、この温水機器からの温水は、温水接続部１０６の戻り側開口部１１０、戻り側ライン（図示せず）を通して熱源機の戻り側に戻される。
【０００３】
コンセント本体１０４を覆うようにカバー体１１２が設けられ、カバー体１１２は、コンセント本体１０４の上部及び両側部を覆うカバー本体部１１４と、コンセント本体１０４の中間部（温水接続部１０６が存在する部位）及び下部を覆う開閉カバー１１６とを備え、開閉カバー１１６が下端部を中心に開閉自在にコンセント本体１０４に装着されている。また、このコンセント本体１０４には、玉鎖１１８を介してキャップ部材１２０が装着され、温水プラグを接続しないときには、このキャップ部材１２０の一方の突部１２２が温水接続部１０６の供給側開口部１０８に嵌入され、その他方の突部１２４が温水接続部１０６の戻り側開口部１１０に嵌入され、このようにキャップ部材１２０を装着することによって、供給側開口部１０８及び戻り側開口部１１０への埃などの付着が防止される。
【先行技術文献】
【特許文献】
【０００４】
【特許文献１】特開閉１１−３７３５４号公報
【発明の概要】
【発明が解決しようとする課題】
【０００５】
しかしながら、このような温水コンセントでは、次の通りの解決すべき問題がある。即ち、温水プラグを接続するには、開閉カバー１１６を開方向に回動させてコンセント本体１０４の中間部及び下部を露出させ、この開状態において、コンセント本体１０４の温水接続部１０６からキャップ部材１２０を取り外し、その後温水プラグを接続するようになる。それ故に、温水プラグを接続するのに、開閉カバー１１６を開放し、更にキャップ部材１２０を取り外すという二つの動作を行う必要があり、その動作が煩雑となる。
【０００６】
また、温水プラグを外して不使用状態にするには、温水プラグを外した後にコンセント本体１０４の温水接続部１０６にキャップ部材１２０を取り付け、その後開閉カバー１１６を閉方向に回動させてコンセント本体１０４の中間部及び下部を覆うようにする。それ故に、不使用状態にするにも、キャップ部材１２０を取り付け、更に開閉カバー１１６を閉状態にするという二つの動作を行う必要があり、その動作が煩雑となる。
【０００７】
本発明の目的は、コンセント本体の温水接続部の露出とその供給側開口部及び戻り側開口部の開放をワンタッチで行うことができる温水コンセントを提供することである。
【課題を解決するための手段】
【０００８】
本発明の請求項１に記載の温水コンセントは、温水プラグの温水供給側及び温水戻り側が着脱自在に接続される供給側開口部及び戻り側開口部を備えた温水接続部を有するコンセント本体と、前記コンセント本体の前記温水接続部を覆うためのカバー体とを備え、前記温水接続部の前記供給側開口部が温水を供給するための供給側ラインに接続され、前記温水接続部の前記戻り側開口部が温水を戻すための戻り側ラインに接続される温水コンセントであって、
前記カバー体は、前記温水接続部の前面側を覆う閉位置と前記温水接続部の前面側を開放する開位置との間を移動自在に前記コンセント本体に装着され、前記カバー体には、前記供給側開口部及び前記戻り側開口部に対応して供給側閉塞部材及び戻り側閉塞部材が設けられており、
前記カバー体が前記閉位置にあるときには、前記カバー体の前記供給側閉塞部材及び前記戻り側閉塞部材が前記温水接続部の前記供給側開口部及び前記戻り側開口部を閉塞し、前記閉位置から前記開位置に移動させると、前記供給側閉塞部材及び前記戻り側閉塞部材が移動して前記温水接続部の前記供給側開口部及び前記戻り側開口部が開放されることを特徴とする。
【０００９】
また、本発明の請求項２に記載の温水コンセントでは、前記温水接続部は、前記コンセント本体の中間部に配設され、前記カバー体は、前記閉位置にあるときには前記コンセント本体の前記中間部及び上部を覆うように構成され、前記コンセント本体の前記中間部の前記温水接続部と前記コンセント本体の前記上部との間に、前記温水プラグの一部が挿入される挿入空間が存在しており、前記カバー体を前記閉位置から前記開位置に移動させると、前記供給側閉塞部材及び前記戻り側閉塞部材は前記挿入空間を越えて前記コンセント本体の前記上部側に移動することを特徴とする。
【００１０】
また、本発明の請求項３に記載の温水コンセントでは、前記カバー体側の前記供給側閉塞部材及び前記戻り側閉塞部材はボール体から構成され、前記ボール体に関連して、これを前記コンセント本体側に弾性的に偏倚するための弾性偏倚部材が設けられ、前記ボール体の直径は前記挿入空間の幅よりも大きく形成されていることを特徴とする。
【００１１】
更に、本発明の請求項４に記載の温水コンセントでは、前記カバー体側の前記供給側閉塞部材及び前記戻り側閉塞部材は、前記温水接続部の前記供給側開口部及び前記戻り側開口部を閉塞するための先端部材と、前記先端部材を支持するための支持部材とを含み、前記先端部材及び／又は前記支持部材が弾性変形可能に構成されていることを特徴とする。
【発明の効果】
【００１２】
本発明の請求項１に記載の温水コンセントによれば、コンセント本体の温水接続部を覆うカバー体に供給側閉塞部材及び戻り側閉塞部材が設けられているので、このカバー体が閉位置あるときには、カバー体側の供給側閉塞部材及び戻り側閉塞部材がコンセント本体側の供給側開口部及び戻り側開口部を閉塞し、温水接続部の供給側開口部及び戻り側開口部に埃などが付着するのを防止することができる。また、このカバー体を閉位置から開位置に移動させると、カバー体とともに供給側閉塞部材及び戻り側閉塞部材が移動して温水接続部の供給側開口部及び戻り側開口部が開放され、この温水接続部に温水機器側からの温水プラグを接続することができる。このようにカバー体を開位置に移動させることによって温水接続部の供給側開口部及び戻り側開口部を開放することができ、また閉位置に移動させることによってこれら供給側開口部及び戻り側開口部を閉塞することができ、カバー体を移動させるという簡単な操作でもって温水接続部の供給側開口部及び戻り側開口を開閉することができる。
【００１３】
また、本発明の請求項２に記載の温水コンセントによれば、カバー体が閉位置にあるときには、このカバー体がコンセント本体の中間部及び上部を覆うので、コンセント本体の中間部に配設された温水接続部を覆うことができ、またカバー体を閉位置から開位置に移動させると、コンセント本体の中間部の温水接続部が露出するので、温水プラグを接続することが可能となる。更に、この移動の際に、カバー体の供給側閉塞部材及び戻り側閉塞部材はコンセント本体側の挿入空間を越えてその上部側に移動するので、カバー体を所要の通りに開位置に移動させることができる。
【００１４】
また、本発明の請求項３に記載の温水コンセントによれば、供給側閉塞部材及び戻り側閉塞部材がボール体から構成され、これらボール体に弾性偏倚部材が設けられているので、弾性偏倚部材の弾性作用により、これらボール体でもって温水接続部の供給側開口部及び戻り側開口部を確実に閉塞することができる。また、ボール体の直径がコンセント本体側の挿入空間の幅よりも大きいので、カバー体の閉位置から開位置への移動、またその開位置から閉位置の移動を所要の通りに行うことができる。
【００１５】
更に、本発明の請求項４に記載の温水コンセントによれば、供給側閉塞部材及び戻り側閉塞部材が先端部材と先端部材を支持するための支持部材とを含み、先端部材及び／又は支持部材が弾性変形可能に構成されているので、先端部材及び／又は支持部材の弾性変形を利用して温水接続部の供給側開口部及び戻り側接続部を確実に閉塞することができる。
【図面の簡単な説明】
【００１６】
【図１】本発明に従う温水コンセントの一実施形態を示す正面図。
【図２】図１の温水コンセントをカバー体を開けた状態で示す正面図。
【図３】図１におけるＩＩＩ−ＩＩＩ線による断面図。
【図４】図１におけるＩＶ−ＩＶ線による断面図。
【図５】図１の温水コンセントにおいて、カバー体を開位置に向けて少し移動させた状態を示す断面図。
【図６】図１の温水コンセントにおいて、戻り側閉塞部材が挿入空間を越えるときの状態を示す断面図。
【図７】図１の温水コンセントにおいて、カバー体を開位置に位置付けた状態を示す断面図。
【図８】図８（ａ）は、図１の温水コンセントにおける戻り側閉塞部材（供給側閉塞部材）を拡大して示す部分断面図、また図８（ｂ）は、戻り側閉塞部材（供給側閉塞部材）の変形形態を拡大して示す部分断面図。
【図９】本発明に従う温水コンセントの他の実施形態を示す断面図。
【図１０】従来の温水コンセントを示す断面図。
【図１１】図１０の温水コンセントを、開閉カバーを開状態にして温水接続部を露出させた状態で示す正面図。
【発明を実施するための形態】
【００１７】
以下、図１〜図９を参照して、本発明に従う温水コンセントの実施形態について説明する。まず、図１〜図７を参照して、一実施形態の温水コンセントについて説明する。
【００１８】
図１〜図４において、図示の温水コンセント２は、室内の壁４（図３参照）に取り付けられるコンセント本体６を備え、このコンセント本体６の前面側（図１及び図２において紙面に対して手前側、図３において左側）を覆うようにカバー体８が設けられている。コンセント本体６は略矩形状であり、壁４に取り付けられる壁取付部１０と、この壁取付部１０から壁４の開口１２を通してその内側に突出する本体突出部１４とを有している。
【００１９】
この形態では、本体突出部１４の前面に壁取付部１０が取り付けられ、この壁取付部１０の上下方向中間部に略楕円状の開口２０が設けられ、この開口２０を通して本体突出部１４の一部が露出している。本体突出部１４の上記一部には温水接続部２４が設けられ、温水接続部２４は、本体突出部１４の前面から壁取付部１０の開口２０内に幾分突出している。この温水接続部２４の片側（図２及び図４において右部）に供給側開口部２６が設けられ、その他側（図２及び図４において左部）に戻り側開口部２８が設けられ、それらの開口部２６，２８に、スリーブ状の座部材３０が装着されている。このように構成されているので、温水接続部２４の周囲には、環状の挿入空間２５（図２、図３参照）が存在し、この挿入空間２５に温水機器（例えば、温水暖房装置）からの温水プラグ（図示せず）の先端部が後述するように挿入される。
【００２０】
本体突出部１４には供給流路３２及び戻り流路３４が設けられ（図４参照）、この供給流路３２の一端側が供給側開口部２６に連通され、その他端側が、図示していないが、供給側ラインを介して熱源機の供給側に接続される。また、戻り流路３４の一端側が戻り側開口部２８に連通され、その他端側が、図示していないが、戻り側ラインを介して熱源機の戻り側に接続される。熱源機は、例えば燃焼バーナを備えたものでよく、燃焼バーナの燃焼による燃焼熱を利用して温水を生成し、熱源機にて生成された温水が供給側ラインを通してコンセント本体６の供給流路３２に供給され、またコンセント本体６の戻り流路３４からの温水は戻り側ラインを通して熱源機の戻り側に戻り、熱源機にて加温された後に上述したように供給側ラインに送給される。
【００２１】
この実施形態では、壁取付部１０の下部が前面側に突出してコンセント本体６の下部を構成し、コンセント本体６の中間部及び上部がカバー体８により覆われ、コンセント本体６の下部前面とカバー体８の前面とが同一面を規定している。また、カバー体８は、図１に示すように、閉位置（図１に実線で示すとともに、図３及び図４に示す位置）と開位置（図１に二点鎖線で示すとともに、図２に示す位置）との間を上下方向に移動自在にコンセント本体６（具体的には、壁取付部１０）に装着されている。この形態では、コンセント本体（具体的には、壁取付部１０）の上部及び中間部の両側部に係合溝２１が設けられ、またカバー体８の両側部には、係合溝２１に係合する係合突条２３が設けられ、係合突条２３が係合溝２１に移動自在に受け入れられている。
【００２２】
このカバー体８が閉位置にあるときには、図１及び図３に示すように、カバー体８はコンセント本体６の中間部及び上部を覆い、コンセント本体６の下部及びカバー体８は実質上連続した前面を規定する。また、開位置にあるときには、図２に示すように、カバー体８が上方に移動してコンセント本体６の中間部（即ち、供給側開口部２６及び戻り側開口部２８が設けられた温水接続部２４）が外部に露出する（尚、この状態においては、コンセント本体６の上部はカバー体８によって覆われている）。
【００２３】
この形態では、閉位置まで移動すると、カバー体８の下端部がコンセント本体６の下部（具体的には、壁取付部１０の突出下部）に当接し（図３参照）、カバー体８の閉位置を越える移動が阻止される。また、開位置まで移動すると、カバー体８の一部がコンセント本体６側の移動阻止片（図示せず）に当接し、カバー体８の開位置を越える移動が阻止される。
【００２４】
このカバー体８の内側には、横方向（図１、図２及び図４において左右方向、図３において紙面に対して垂直な方向）に間隔をおいて供給側閉塞部材４０及び戻り側閉塞部材４２が設けられている。供給側閉塞部材４０は、コンセント本体６側の供給側開口部２６に対応して設けられ、また戻り側閉塞部材４２は、コンセント本体６側の戻り側開口部２８に対応して設けられる。
【００２５】
供給側閉塞部材４０及び戻り側閉塞部材４２は実質上同一の構成であり、カバー体８の内面に取り付けられた支持部材４４と、この支持部材４４の先端部に設けられた先端部材４６とから構成されている。この形態では、支持部材４４は、例えば、合成樹脂材料、金属材料などから形成され、先端部材４６は、例えば合成ゴム材料などから形成され、この先端部材４６が弾性変形可能に構成されている。
【００２６】
供給側閉塞部材４２及び戻り側閉塞部材４４に関連して、コンセント本体６側（この形態では、壁取付部１０の上部）に、上記横方向に間隔をおいて一対の案内収容溝４８，５０が設けられている（図２参照）。一対の案内収容溝４８，５０は、上記上下方向に直線状に延びており、カバー体８を閉位置から開位置に移動させるとき、また開位置から閉位置に移動させるときに、カバー体８側の供給側閉塞部材４２及び戻り側閉塞部材４４の先端部が案内収容溝４８，５０に収容されて案内される。
【００２７】
このように構成されているので、カバー体８が上記閉位置にあるときには、図３及び図４に示すように、カバー体８側の供給側閉塞部材４２及び戻り側閉塞部材４４（具体的には、それらの先端部材４６）がコンセント本体６側の供給側開口部２６及び戻り側開口部２８を閉塞し、これら供給側開口部２６及び戻り側開口部２８への埃などの付着が防止される。また、カバー体８が上記開位置にあるときには、図２に示すように、供給側閉塞部材４２及び戻り側閉塞部材４４が上方に移動して供給側開口部２６及び戻り側開口部２８が開放され、この開状態においては、カバー体８側の供給側閉塞部材４２及び戻り側閉塞部材４４は、コンセント本体６側の案内収容溝４８，５０内に収容される。
【００２８】
次に、図１〜図４とともに，図５〜図７を参照して、カバー体８の開閉動作について説明する。温水コンセント２を使用するには、カバー体８を上方に移動させて開位置に位置付ければよい。カバー体８を閉位置（図３に示す位置）から開位置に向けて少し移動させると、図５に示すように、カバー体８側の供給側閉塞部材４２及び戻り側閉塞部材４４の先端部材４６が弾性変形してコンセント本体６の温水接続部２４に乗り上げ、更に開位置に向けて移動させると、図６に示すように、これら供給側閉塞部材４２及び戻り側閉塞部材４４がコンセント本体６側の挿入空間２５を乗り越えるようになる。そして、更に移動させると、供給側閉塞部材４２及び戻り側閉塞部材４４がコンセント本体６の本体上部１６側に移動して案内収容溝４８，５０に収容され、図７に示すように、これら案内収容溝４８，５０に沿って上記開位置まで移動される。
【００２９】
カバー体８をこのようにして開位置まで移動させると、図２及び図７に示すように、コンセント本体６の中間部が開放され、コンセント本体６側の温水接続部２４（供給側開口部２６及び戻り側開口部２８）及び挿入空間２５が外部に露出し、温水プラグ（図示せず）の接続が可能となる。
【００３０】
温水プラグ（図示せず）はそれ自体周知のもの（例えば、特開平１１−３７３５４号公報に開示されたもの）でよく、図示していないが、この温水プラグに供給側接続部及び戻り側接続部が設けられ、供給側接続部は供給側チューブを介して温水機器の供給側に接続され、戻り側接続部は戻り側チューブを介して温水機器の戻り側に接続されている。
【００３１】
カバー体８を開位置に位置付けた状態において、温水プラグをコンセント本体６側の温水接続部２４に接続すると、温水プラグの供給側接続部が温水接続部２４の供給側開口部２６に嵌入され、その戻り側接続部が温水接続部２４の戻り側開口部２８に嵌入され、また温水プラグの先端外周部がコンセント本体６側の挿入空間２５に挿入され、このような接続状態においては、供給側接続部によって供給側開口部２６に内蔵された弁手段（図示せず）が開状態となり、また戻り側接続部によって戻り側開口部２８に内蔵された弁手段（図示せず）が開状態となる。
【００３２】
従って、このように接続すると、コンセント本体６側の供給側開口部２６及び戻り側開口部２８と温水プラグ側の供給側接続部及び戻り側接続部とが接続され、供給側ラインを通して供給される往き温水は、コンセント本体６側の供給側開口部２６、温水プラグ側の供給側接続部及び供給側チューブを通して温水機器に送給され、温水機器からの戻り温水は、戻り側チューブ、温水プラグ側の戻り側接続部及びコンセント本体６側の戻り側開口部２８を通して戻り側ラインに戻り、このようにして温水コンセント２及び温水プラグを介して温水が循環される。
【００３３】
上述した使用状態から温水コンセント２を不使用状態にするには、温水プラグを取り外した後に、カバー体８を閉位置に位置付ければよい。温水プラグを取り外すと、温水プラグの供給側接続部が温水接続部２４の供給側開口部２６から外れ（これにより、供給側開口部２６内の弁手段が閉状態になる）、その戻り側接続部が温水接続部２４の戻り側開口部２８から外れる（これにより、戻り側開口部２８内の弁手段が閉状態となる）。
【００３４】
その後、カバー体８を開位置から閉位置まで移動させると、カバー体８側の供給側閉塞部材４０及び戻り側閉塞部材４２がコンセント本体６側の供給側開口部２６及び戻り側開口部２８を閉塞し、それらの先端部材４６が供給側開口部２６及び戻り側開口部２８の座部材３０に着座し、先端部材４６の弾性作用でもってこの閉塞状態が維持される。尚、カバー体８の閉位置に向けての移動の際には、供給側閉塞部材４０及び戻り側閉塞部材４２は、上述したとは反対に移動され、このようにカバー体８を移動させるのみでコンセント本体６側の供給側開口部２６及び戻り側開口部２８を閉塞することができる。
【００３５】
上述した実施形態における供給側閉塞部材４０（戻り側閉塞部材４２）は、図８（ａ）に示す構造であり、その先端部材４６が弾性変形可能に構成され、二点鎖線で示すように、温水接続部２４に乗り上げるときなどにおいて弾性変形する。
【００３６】
この供給側閉塞部材（戻り側閉塞部材）は、図８（ｂ）で示すように構成することもできる。図８（ｂ）において、この変形形態では、供給側閉塞部材４０Ａ（戻り側閉塞部材４２Ａ）は、上述したと同様に、支持部材４４Ａ及び先端部材４６Ａから構成されるが、支持部材４４Ａが、例えば合成ゴムなどの弾性変形可能な材料から形成され、先端部材４６Ａが合成樹脂材料、金属材料などから形成されている。この場合、温水接続部２４に乗り上げるときなどにおいては、支持部材４４Ａが二点鎖線で示すように弾性変形し、このように構成しても上述したと同様の作用効果が得られる。尚、上述した構成に代えて、供給側閉塞部材４０Ａ（戻り側閉塞部材４２Ａ）の支持部材４４Ａ及び先端部材４６Ａの双方を弾性変形可能に構成することもできる。
【００３７】
次に、図９を参照して、温水コンセントの他の実施形態について説明する。この他の実施形態においては、供給側閉塞部材及び戻り側閉塞部材並びにこれらに関連する構成に修正が施されている。尚、この他の実施形態において、上述した実施形態と実質上同一の部材には同一の参照番号を付し、その説明を省略する。
【００３８】
図９において、この温水コンセント２Ｂは、コンセント本体６と、コンセント本体６の前面側を覆うカバー体８Ｂとを備え、このカバー本体８Ｂに設けられた供給側閉塞部材及び戻り側閉塞部材４２Ｂに修正が施されている（図９において、戻り側閉塞部材及びこれに関連する構成を図示するが、供給側閉塞部材及びこれに関連する構成は、この戻り側閉塞部材４２Ｂ及びこれに関連する構成と実質上同一である）。
【００３９】
この実施形態では、戻り側閉塞部材４２Ｂ（供給側閉塞部材）はボール体６２から構成され、このボール体６２は、例えば金属材料、合成樹脂材料などから形成される。カバー体８Ｂの内面には、コンセント本体６側の戻り側開口部２８（供給側開口部）に対応して受けスリーブ６４が一体的に設けられ、この受けスリーブ６４がコンセント本体６側に突出し、この受けスリーブ６４内にボール体６２が移動自在に受け入れられている。
【００４０】
この形態では、ボール体６２は、略半球状の受面を有する受け部材６６に支持され、この受け部材６６とカバー体８Ｂの内面との間にコイルばね６８が介在されている。コイルばね６８は弾性偏倚部材を構成し、ボール体６２をコンセント本体６側に弾性的に偏倚する。ボール体６２は、その直径がコンセント本体６側の挿入空間２５の幅Ｗ（ボール体６２が乗り越える部位の幅）よりも大きく、このように構成することによって、カバー体８Ｂを閉位置から開位置に向けて移動させる、また開位置から閉位置に向けて移動させたときに、ボール体６２はこの挿入空間２５を乗り越えて移動することができる。この他の実施形態のその他の構成は、上述した実施形態と実質上同一である。
【００４１】
この他の実施形態においては、カバー体８Ｂが閉位置にあるときには、図９に示すように、このカバー体８Ｂはコンセント本体６の中間部及び上部を覆い、カバー体８Ｂ側の戻り側閉塞部材４４Ｂ（及び供給側閉塞部材）（具体的には、ボール体６２）は、コンセント本体６側の戻り側開口部２８（及び供給側開口部）を閉塞し、コイルばね６８の弾性作用によってこの閉塞状態に保持され、戻り側開口部２８（及び供給開口部）への埃などの付着が防止される。
【００４２】
また、この閉位置から開位置に移動させると、図９から理解されるように、コイルばね６８の収縮によりカバー体８Ｂ側のボール体６２（戻り側閉塞部材４２Ｂ及び供給側閉塞部材）がコンセント本体６の温水接続部２４に乗り上げ、挿入空間２５を乗り越え、更に案内収容溝５０に収容され、この案内収容溝５０に沿って開位置まで移動される。カバー体８Ｂを開位置まで移動させると、上述した同様に、コンセント本体６の中間部が開放され、コンセント本体６側の温水接続部２４（供給側開口部及び戻り側開口部２８）及び挿入空間２５が外部に露出し、単にカバー体８Ｂを開位置に位置付けることにより温水接続部２４などが露出し、温水プラグ（図示せず）の接続が可能となり、この他の実施形態においても、上述したと同様の作用効果が達成される。
【００４３】
以上、本発明に従う温水コンセントの実施形態について説明したが、本発明はかかる実施形態に限定されるものではなく、本発明の範囲を逸脱することなく種々の変更乃至修正が可能である。
【００４４】
例えば、上述した実施形態では、カバー体８（８Ｂ）を閉位置から上方に移動させて開位置に位置付けているが、このような構成に限定されず、このカバー体８（８Ｂ）を閉位置から下方に移動させて開位置に位置付けるように構成することもできる。
【符号の説明】
【００４５】
２，２Ｂ  温水コンセント
４  コンセント本体
８，８Ｂ  カバー体
２４  温水接続部
２５  挿入空間
２６  供給側開口部
２８  戻り側開口部
４０，４０Ａ  供給側閉塞部材
４２，４２Ａ，４２Ｂ  戻り側閉塞部材
４４，４４Ａ  支持部材
４６，４６Ａ  先端部材
４８，５０  案内収容溝
６２  ボール体
６８  コイルばね（弾性偏倚部材）
【図１】
2014031901.tif 000003
【図２】
2014031901.tif 000004
【図３】
2014031901.tif 000005
【図４】
2014031901.tif 000006
【図５】
2014031901.tif 000007
【図６】
2014031901.tif 000008
【図７】
2014031901.tif 000009
【図８】
2014031901.tif 000010
【図９】
2014031901.tif 000011
【図１０】
2014031901.tif 000012
【図１１】
2014031901.tif 000013